(57)【要約】【課題】チケットの使用に際して、ユーザインタフェースを向上させること。【解決手段】利用者が有する携帯端末４０から、無線基地局３０およびネットワーク２０を介して電子チケットの発行に関する要求を受け付けるステップと、携帯端末４０からの要求に応じて、電子チケットとしてのチケット情報をネットワーク２０および無線基地局３０を介して携帯端末４０へ通知するステップとを含み、チケット情報は、携帯端末４０に設けられたＩＣタグ４８にライトされた後、電子チケットの使用時にチケット確認装置５０1（ＩＣタグリーダ６１）によりリードされる。【選択図】        図１
2005165946.tif 000002
【特許請求の範囲】
【請求項１】
コンピュータに、
利用者が有する携帯端末から電子チケットの発行に関する要求を受け付けるチケット発行要求受付工程と、
前記要求に応じて、前記携帯端末に設けられた電子タグにライトされた後、前記電子チケットの使用時にチケット確認装置によりリードされるチケット情報を前記電子チケットとして前記携帯端末へ通知するチケット情報通知工程と、
を実行させるためのチケット発行プログラム。
【請求項２】
前記チケット情報通知工程では、前記チケット情報を暗号化し、暗号化されたチケット情報を前記携帯端末へ通知することを特徴とする請求項１に記載のチケット発行プログラム。
【請求項３】
前記コンピュータに、前記電子チケットの発行に際して、前記利用者により予め指定された決済方法により電子チケットの購入代金を決済する決済工程、を実行させることを特徴とする請求項１または２に記載のチケット発行プログラム。
【請求項４】
利用者が有する携帯端末から電子チケットの発行に関する要求を受け付けるチケット発行要求受付工程と、
前記要求に応じて、前記携帯端末に設けられた電子タグにライトされた後、前記電子チケットの使用時にチケット確認装置によりリードされるチケット情報を前記電子チケットとして前記携帯端末へ通知するチケット情報通知工程と、
を含むことを特徴とするチケット発行方法。
【請求項５】
前記チケット情報通知工程では、前記チケット情報を暗号化し、暗号化されたチケット情報を前記携帯端末へ通知することを特徴とする請求項４に記載のチケット発行方法。
【請求項６】
前記電子チケットの発行に際して、前記利用者により予め指定された決済方法により電子チケットの購入代金を決済する決済工程、を含むことを特徴とする請求項４または５に記載のチケット発行方法。
【請求項７】
利用者が有する携帯端末から電子チケットの発行に関する要求を受け付けるチケット発行要求受付手段と、
前記要求に応じて、前記携帯端末に設けられた電子タグにライトされた後、前記電子チケットの使用時にチケット確認装置によりリードされるチケット情報を前記電子チケットとして前記携帯端末へ通知するチケット情報通知手段と、
を備えたことを特徴とするチケット発行装置。
【請求項８】
前記チケット情報通知手段は、前記チケット情報を暗号化し、暗号化されたチケット情報を前記携帯端末へ通知することを特徴とする請求項７に記載のチケット発行装置。
【請求項９】
前記電子チケットの発行に際して、前記利用者により予め指定された決済方法により電子チケットの購入代金を決済する決済手段、を備えたことを特徴とする請求項７または８に記載のチケット発行装置。
【請求項１０】
コンピュータに、
携帯端末に設けられた電子タグから電子チケットとしてのチケット情報をリードするリード工程と、
リードされた前記チケット情報が正規のものであるか否かを確認する確認工程と、
前記確認の結果を報知する報知工程と、
を実行させるためのチケット確認プログラム。
【請求項１１】
前記コンピュータに、前記チケット情報がリードされた後、別のチケット情報を前記電子タグにライトするライト工程、を実行させることを特徴とする請求項１０に記載のチケット確認プログラム。
【請求項１２】
前記電子チケットは、興行チケットに対応しており、前記コンピュータに、前記確認の結果に基づいて、興行会場への利用者の入場を制限する入場制限工程、を実行させることを特徴とする請求項１０または１１に記載のチケット確認プログラム。
【請求項１３】
携帯端末に設けられた電子タグから電子チケットとしてのチケット情報をリードするリード工程と、
リードされた前記チケット情報が正規のものであるか否かを確認する確認工程と、
前記確認の結果を報知する報知工程と、
を含むことを特徴とするチケット確認方法。
【請求項１４】
前記チケット情報がリードされた後、別のチケット情報を前記電子タグにライトするライト工程、を含むことを特徴とする請求項１３に記載のチケット確認方法。
【請求項１５】
前記電子チケットは、興行チケットに対応しており、前記確認の結果に基づいて、興行会場への利用者の入場を制限する入場制限工程、を含むことを特徴とする請求項１３または１４に記載のチケット確認方法。
【請求項１６】
携帯端末に設けられた電子タグから電子チケットとしてのチケット情報をリードするリード手段と、
リードされた前記チケット情報が正規のものであるか否かを確認する確認手段と、
前記確認の結果を報知する報知手段と、
を備えたことを特徴とするチケット確認装置。
【請求項１７】
前記チケット情報がリードされた後、別のチケット情報を前記電子タグにライトするライト手段、を備えたことを特徴とする請求項１６に記載のチケット確認装置。
【請求項１８】
前記電子チケットは、興行チケットに対応しており、前記確認の結果に基づいて、興行会場への利用者の入場を制限する入場制限手段、を備えたことを特徴とする請求項１６または１７に記載のチケット確認装置。
【請求項１９】
チケット発行装置に対して、電子チケットの発行に関する要求を出すチケット発行要求手段と、
電子タグと、
前記要求に応じて、前記チケット発行装置から通知され前記電子チケットとしてのチケット情報を前記電子タグにライトするライト手段と、を備え、
前記電子チケットの使用時には、チケット確認装置により、前記電子タグから前記チケット情報がリードされること、
を特徴とする携帯端末。
【請求項２０】
前記チケット情報は、暗号化されていることを特徴とする請求項１９に記載の携帯端末。
【請求項２１】
前記電子チケットの使用時には、前記チケット確認装置により前記チケット情報がリードされた後、別のチケット情報が前記電子タグにライトされることを特徴とする請求項１９または２０に記載の携帯端末。
【発明の詳細な説明】
【技術分野】
【０００１】
本発明は、コンサート等のチケットを電子的に発行するためのチケット発行プログラム、チケット発行方法、チケット発行装置、チケット確認プログラム、チケット確認方法、チケット確認装置および携帯端末に関するものであり、特に、電子チケットの使用に際して、ユーザインタフェースを向上させることができるチケット発行プログラム、チケット発行方法、チケット発行装置、チケット確認プログラム、チケット確認方法、チケット確認装置および携帯端末に関するものである。
【背景技術】
【０００２】
従来より、コンサート、演劇、スポーツ等を鑑賞、観戦するためには、販売所やインタ
ーネット経由でチケット（紙媒体）を購入する必要がある。
【０００３】
また、近時では、携帯電話端末の高機能化に伴って、携帯電話端末をチケット代わりに使用するためのチケットシステムが提案されている。かかるチケットシステムでは、チケット発行サイトからインターネットを介して、チケットに対応する二次元バーコード情報（電子チケットに相当）が携帯電話端末にダウンロードされた後、携帯電話端末のメモリに格納される。
【０００４】
また、コンサート会場等においては、入場ゲートに二次元バーコードをリードするための二次元バーコードリーダが設けられている。そして、利用者は、会場へ出向き、所定のキー操作により携帯電話端末のディスプレイに二次元バーコード（電子チケット）を表示させた後、入場ゲートを通過する際に二次元バーコードリーダに二次元バーコードをリードさせる。
【０００５】
つぎに、二次元バーコードのリード結果とチケット情報データベースとが照合され、一致である場合には、入場ゲートの開閉扉が開かれ、当該利用者の入場が許可される。
【０００６】
【特許文献１】特開２００２−２４４２４号公報
【発明の開示】
【発明が解決しようとする課題】
【０００７】
ところで、従来のチケットシステムにおいては、入場時に二次元バーコード（電子チケット）を携帯電話端末の画面に表示させるためのキー操作をしなければならず、電子チケットの使用に際して、ユーザインタフェースが悪いという問題があった。
【０００８】
特に、開演前に入場ゲートに長い行列をなすような大人気のコンサートにおいて、「早く入場したい」、「急いで」等という、はやる気持ちの雰囲気が形成されやすく、かかる雰囲気でのキー操作は、当然操作ミスが発生しやすく、一人あたりの入場に要する時間が長くなり、大混乱を招くおそれがある。
【０００９】
また、従来のチケットシステムにおいては、例えば、所定のキー操作がスムーズに行われ、二次元バーコードを表示させることができたとしても、二次元バーコードリーダでリードさせる直前に電話やメールの着信があると、画面が切り替わってしまうため、再び所定のキー操作を行わなければならず、依然としてユーザインタフェースが悪いという問題が発生する。
【００１０】
本発明は、上記に鑑みてなされたものであって、電子チケットの使用に際して、ユーザインタフェースを向上させることができるチケット発行プログラム、チケット発行方法、チケット発行装置、チケット確認プログラム、チケット確認方法、チケット確認装置および携帯端末を提供することを目的とする。
【課題を解決するための手段】
【００１１】
上述した課題を解決し、目的を達成するために、本発明は、コンピュータに、利用者が有する携帯端末から電子チケットの発行に関する要求を受け付けるチケット発行要求受付工程と、前記要求に応じて、前記携帯端末に設けられた電子タグにライトされた後、前記電子チケットの使用時にチケット確認装置によりリードされるチケット情報を前記電子チケットとして前記携帯端末へ通知するチケット情報通知工程と、を実行させるためのチケット発行プログラムである。
【００１２】
本発明によれば、利用者が有する携帯端末から電子チケットの発行に関する要求を受け、要求に応じて、携帯端末に設けられた電子タグにライトされた後、電子チケットの使用時にチケット確認装置によりリードされるチケット情報を電子チケットとして携帯端末へ通知することとしたので、電子チケットの使用に際して、従来のように所定の操作が不要となり、ユーザインタフェースを向上させることができる。
【００１３】
また、本発明は、上記発明において、前記チケット情報通知工程では、前記チケット情報を暗号化し、暗号化されたチケット情報を前記携帯端末へ通知することを特徴とする。
【００１４】
本発明によれば、チケット情報を暗号化し、暗号化されたチケット情報を携帯端末へ通知することとしたので、第三者にチケット情報が漏洩することが防止され、セキュリティを高めることができる。
【００１５】
また、本発明は、上記発明において、前記コンピュータに、前記電子チケットの発行に際して、前記利用者により予め指定された決済方法により電子チケットの購入代金を決済する決済工程、を実行させることを特徴とする。
【００１６】
本発明によれば、電子チケットの発行に際して、利用者により予め指定された決済方法により電子チケットの購入代金を決済することとしたので、迅速に電子チケットを購入することができる。
【００１７】
また、本発明は、利用者が有する携帯端末から電子チケットの発行に関する要求を受け付けるチケット発行要求受付工程と、前記要求に応じて、前記携帯端末に設けられた電子タグにライトされた後、前記電子チケットの使用時にチケット確認装置によりリードされるチケット情報を前記電子チケットとして前記携帯端末へ通知するチケット情報通知工程と、を含むことを特徴とする。
【００１８】
本発明によれば、利用者が有する携帯端末から電子チケットの発行に関する要求を受け、要求に応じて、携帯端末に設けられた電子タグにライトされた後、電子チケットの使用時にチケット確認装置によりリードされるチケット情報を電子チケットとして携帯端末へ通知することとしたので、電子チケットの使用に際して、従来のように所定の操作が不要となり、ユーザインタフェースを向上させることができる。
【００１９】
また、本発明は、上記発明において、前記チケット情報通知工程では、前記チケット情報を暗号化し、暗号化されたチケット情報を前記携帯端末へ通知することを特徴とする。
【００２０】
本発明によれば、チケット情報を暗号化し、暗号化されたチケット情報を携帯端末へ通知することとしたので、第三者にチケット情報が漏洩することが防止され、セキュリティを高めることができる。
【００２１】
また、本発明は、上記発明において、前記電子チケットの発行に際して、前記利用者により予め指定された決済方法により電子チケットの購入代金を決済する決済工程、を含むことを特徴とする。
【００２２】
本発明によれば、電子チケットの発行に際して、利用者により予め指定された決済方法により電子チケットの購入代金を決済することとしたので、迅速に電子チケットを購入することができる。
【００２３】
また、本発明は、利用者が有する携帯端末から電子チケットの発行に関する要求を受け付けるチケット発行要求受付手段と、前記要求に応じて、前記携帯端末に設けられた電子タグにライトされた後、前記電子チケットの使用時にチケット確認装置によりリードされるチケット情報を前記電子チケットとして前記携帯端末へ通知するチケット情報通知手段と、を備えたことを特徴とする。
【００２４】
本発明によれば、利用者が有する携帯端末から電子チケットの発行に関する要求を受け、要求に応じて、携帯端末に設けられた電子タグにライトされた後、電子チケットの使用時にチケット確認装置によりリードされるチケット情報を電子チケットとして携帯端末へ通知することとしたので、電子チケットの使用に際して、従来のように所定の操作が不要となり、ユーザインタフェースを向上させることができる。
【００２５】
また、本発明は、上記発明において、前記チケット情報通知手段は、前記チケット情報を暗号化し、暗号化されたチケット情報を前記携帯端末へ通知することを特徴とする。
【００２６】
本発明によれば、チケット情報を暗号化し、暗号化されたチケット情報を携帯端末へ通知することとしたので、第三者にチケット情報が漏洩することが防止され、セキュリティを高めることができる。
【００２７】
また、本発明は、上記発明において、前記電子チケットの発行に際して、前記利用者により予め指定された決済方法により電子チケットの購入代金を決済する決済手段、を備えたことを特徴とする。
【００２８】
本発明によれば、電子チケットの発行に際して、利用者により予め指定された決済方法により電子チケットの購入代金を決済することとしたので、迅速に電子チケットを購入することができる。
【００２９】
また、本発明は、コンピュータに、携帯端末に設けられた電子タグから電子チケットとしてのチケット情報をリードするリード工程と、リードされた前記チケット情報が正規のものであるか否かを確認する確認工程と、前記確認の結果を報知する報知工程と、を実行させるためのチケット確認プログラムである。
【００３０】
本発明によれば、携帯端末に設けられた電子タグから電子チケットとしてのチケット情報をリードし、リードされたチケット情報が正規のものであるか否かを確認し、確認の結果を報知することとしたので、電子チケットの使用に際して、従来のように所定の操作が不要となり、ユーザインタフェースを向上させることができる。
【００３１】
また、本発明は、上記発明において、前記コンピュータに、前記チケット情報がリードされた後、別のチケット情報を前記電子タグにライトするライト工程、を実行させることを特徴とする。
【００３２】
本発明によれば、チケット情報がリードされた後、別のチケット情報を電子タグにライトすることとしたので、例えば、別のチケット情報を介して優待や特典を利用者に与えることで、利用者の満足度を高めることができる。
【００３３】
また、本発明は、上記発明において、前記電子チケットは、興行チケットに対応しており、前記コンピュータに、前記確認の結果に基づいて、興行会場への利用者の入場を制限する入場制限工程、を実行させることを特徴とする。
【００３４】
本発明によれば、電子チケットを興行チケットに対応させ、チケット情報が正規のものであるか否かの確認の結果に基づいて、興行会場への利用者の入場を制限することとしたので、入場業務を迅速に進めることができる。
【００３５】
また、本発明は、携帯端末に設けられた電子タグから電子チケットとしてのチケット情報をリードするリード工程と、リードされた前記チケット情報が正規のものであるか否かを確認する確認工程と、前記確認の結果を報知する報知工程と、を含むことを特徴とする。
【００３６】
本発明によれば、携帯端末に設けられた電子タグから電子チケットとしてのチケット情報をリードし、リードされたチケット情報が正規のものであるか否かを確認し、確認の結果を報知することとしたので、電子チケットの使用に際して、従来のように所定の操作が不要となり、ユーザインタフェースを向上させることができる。
【００３７】
また、本発明は、上記発明において、前記チケット情報がリードされた後、別のチケット情報を前記電子タグにライトするライト工程、を含むことを特徴とする。
【００３８】
本発明によれば、チケット情報がリードされた後、別のチケット情報を電子タグにライトすることとしたので、例えば、別のチケット情報を介して優待や特典を利用者に与えることで、利用者の満足度を高めることができる。
【００３９】
また、本発明は、上記発明において、前記電子チケットは、興行チケットに対応しており、前記確認の結果に基づいて、興行会場への利用者の入場を制限する入場制限工程、を含むことを特徴とする。
【００４０】
本発明によれば、電子チケットを興行チケットに対応させ、チケット情報が正規のものであるか否かの確認の結果に基づいて、興行会場への利用者の入場を制限することとしたので、入場業務を迅速に進めることができる。
【００４１】
また、本発明は、携帯端末に設けられた電子タグから電子チケットとしてのチケット情報をリードするリード手段と、リードされた前記チケット情報が正規のものであるか否かを確認する確認手段と、前記確認の結果を報知する報知手段と、を備えたことを特徴とする。
【００４２】
本発明によれば、携帯端末に設けられた電子タグから電子チケットとしてのチケット情報をリードし、リードされたチケット情報が正規のものであるか否かを確認し、確認の結果を報知することとしたので、電子チケットの使用に際して、従来のように所定の操作が不要となり、ユーザインタフェースを向上させることができる。
【００４３】
また、本発明は、上記発明において、前記チケット情報がリードされた後、別のチケット情報を前記電子タグにライトするライト手段、を備えたことを特徴とする。
【００４４】
本発明によれば、チケット情報がリードされた後、別のチケット情報を電子タグにライトすることとしたので、例えば、別のチケット情報を介して優待や特典を利用者に与えることで、利用者の満足度を高めることができる。
【００４５】
また、本発明は、上記発明において、前記電子チケットは、興行チケットに対応しており、前記確認の結果に基づいて、興行会場への利用者の入場を制限する入場制限手段、を備えたことを特徴とする。
【００４６】
本発明によれば、電子チケットを興行チケットに対応させ、チケット情報が正規のものであるか否かの確認の結果に基づいて、興行会場への利用者の入場を制限することとしたので、入場業務を迅速に進めることができる。
【００４７】
また、本発明は、チケット発行装置に対して、電子チケットの発行に関する要求を出すチケット発行要求手段と、電子タグと、前記要求に応じて、前記チケット発行装置から通知され前記電子チケットとしてのチケット情報を前記電子タグにライトするライト手段と、を備え、前記電子チケットの使用時には、チケット確認装置により、前記電子タグから前記チケット情報がリードされること、を特徴とする。
【００４８】
本発明によれば、チケッット発行装置に対して、電子チケットの発行に関する要求を出し、要求に応じて、チケット発行装置から通知され電子チケットとしてのチケット情報を電子タグにライトし、電子チケットの使用時に、チケット確認装置により、電子タグからチケット情報がリードされることとしたので、電子チケットの使用に際して、従来のように所定の操作が不要となり、ユーザインタフェースを向上させることができる。
【００４９】
また、本発明は、上記発明において、前記チケット情報は、暗号化されていることを特徴とする。
【００５０】
本発明によれば、チケット情報を暗号化することとしたので、第三者にチケット情報が漏洩することが防止され、セキュリティを高めることができる。
【００５１】
また、本発明は、上記発明において、前記電子チケットの使用時には、前記チケット確認装置により前記チケット情報がリードされた後、別のチケット情報が前記電子タグにライトされることを特徴とする。
【００５２】
本発明によれば、電子チケットの使用時に、チケット確認装置によりチケット情報がリードされた後、別のチケット情報が電子タグにライトされることとしたので、例えば、別のチケット情報を介して優待や特典を利用者に与えることで、利用者の満足度を高めることができる。
【発明の効果】
【００５３】
本発明によれば、利用者が有する携帯端末から電子チケットの発行に関する要求を受け、要求に応じて、携帯端末に設けられた電子タグにライトされた後、電子チケットの使用時にチケット確認装置によりリードされるチケット情報を電子チケットとして携帯端末へ通知することとしたので、電子チケットの使用に際して、従来のように所定の操作が不要となり、ユーザインタフェースを向上させることができるという効果を奏する。
【００５４】
また、本発明によれば、チケット情報を暗号化し、暗号化されたチケット情報を携帯端末へ通知することとしたので、第三者にチケット情報が漏洩することが防止され、セキュリティを高めることができるという効果を奏する。
【００５５】
また、本発明によれば、電子チケットの発行に際して、利用者により予め指定された決済方法により電子チケットの購入代金を決済することとしたので、迅速に電子チケットを購入することができるという効果を奏する。
【００５６】
また、本発明によれば、携帯端末に設けられた電子タグから電子チケットとしてのチケット情報をリードし、リードされたチケット情報が正規のものであるか否かを確認し、確認の結果を報知することとしたので、電子チケットの使用に際して、従来のように所定の操作が不要となり、ユーザインタフェースを向上させることができるという効果を奏する。
【００５７】
また、本発明によれば、チケット情報がリードされた後、別のチケット情報を電子タグにライトすることとしたので、例えば、別のチケット情報を介して優待や特典を利用者に与えることで、利用者の満足度を高めることができるという効果を奏する。
【００５８】
また、本発明によれば、電子チケットを興行チケットに対応させ、チケット情報が正規のものであるか否かの確認の結果に基づいて、興行会場への利用者の入場を制限することとしたので、入場業務を迅速に進めることができるという効果を奏する。
【００５９】
また、本発明によれば、チケッット発行装置に対して、電子チケットの発行に関する要求を出し、要求に応じて、チケット発行装置から通知され電子チケットとしてのチケット情報を電子タグにライトし、電子チケットの使用時に、チケット確認装置により、電子タグからチケット情報がリードされることとしたので、電子チケットの使用に際して、従来のように所定の操作が不要となり、ユーザインタフェースを向上させることができるという効果を奏する。
【００６０】
また、本発明によれば、チケット情報を暗号化することとしたので、第三者にチケット情報が漏洩することが防止され、セキュリティを高めることができるという効果を奏する。
【００６１】
また、本発明によれば、電子チケットの使用時に、チケット確認装置によりチケット情報がリードされた後、別のチケット情報が電子タグにライトされることとしたので、例えば、別のチケット情報を介して優待や特典を利用者に与えることで、利用者の満足度を高めることができるという効果を奏する。
【発明を実施するための最良の形態】
【００６２】
以下に、本発明にかかるチケット発行プログラム、チケット発行方法、チケット発行装置、チケット確認プログラム、チケット確認方法、チケット確認装置および携帯端末の一実施例を図面に基づいて詳細に説明する。なお、この一実施例によりこの発明が限定されるものではない。
【実施例】
【００６３】
図１は、本発明にかかる一実施例の構成を示すブロック図である。同図には、コンサート、演劇、スポーツ等を鑑賞、観戦するためのチケットを、ＩＣタグ（Integrated Circuit）を介して利用するためのチケット利用システムが図示されている。
【００６４】
このチケット利用システムは、チケット発行装置１０、ネットワーク２０、無線基地局３０、金融機関システム３５、携帯端末４０、チケット確認装置５０1〜５０n、入場ゲート６０、ＩＣタグリーダ６１、案内装置６２および開閉扉６３から構成されている。
【００６５】
チケット利用システムにおいて、チケット発行装置１０は、例えば、携帯端末４０に対して、電子化されたチケットを、ネットワーク２０および無線基地局３０を介して発行する装置である。具体的には、チケット発行装置１０は、チケットに対応するチケット情報（後述するチケットＩＤ、日時、興行名、アーチスト、座席、購入価格等）を携帯端末４０に通知することにより、電子化されたチケットを発行する。
【００６６】
チケット発行装置１０において、制御部１１は、チケット発行に関する制御を行う。この制御部１１の動作の詳細については、後述する。記憶部１２は、制御部１１で用いられるプログラムや各種情報を記憶している。通信部１３は、ネットワーク２０に接続されており、所定の通信プロトコルに従って、通信を制御する。
【００６７】
利用者情報データベース１４は、チケットの利用者に関する利用者情報を格納するデータベースである。具体的には、利用者情報データベース１４は、図２に示したように、「利用者ＩＤ」、「パスワード」、「登録日時」、「カナ氏名」、「漢字氏名」、「性別」、「生年月日」、「郵便番号」、「住所」、「電子メールアドレス」、「電話番号」および「引き落とし口座」からなる利用者情報を格納している。
【００６８】
「利用者ＩＤ」は、利用者を識別するための識別子である。「パスワード」は、利用者が携帯端末４０を用いて、チケット発行装置１０にログインする際に、利用者ＩＤとともにログイン情報として用いられる。
【００６９】
「登録日時」は、利用者情報が登録された日時に関する情報である。「カナ氏名」は、当該利用者の氏名をカタカナで表記した情報である。「漢字氏名」は、当該利用者の氏名を漢字で表記した情報である。「性別」は、当該利用者の性別に関する情報である。「生年月日」は、当該利用者の生年月日に関する情報である。
【００７０】
「郵便番号」および「住所」は、当該利用者に対応する郵便番号および住所に関する情報である。「電子メールアドレス」は、利用者が所有する携帯端末４０に付与された電子メール用のアドレスに関する情報である。
【００７１】
「電話番号」は、携帯端末４０に付与された電話番号に関する情報である。「引き落とし口座」は、チケットの購入代金を口座から自動引き落としする場合の金融機関名、支店名、口座種別および口座番号に関する情報である。
【００７２】
図１に戻り、チケット情報データベース１５は、チケット発行装置１０で発行される電子化されたチケットに関するチケット情報を格納するデータベースである。具体的には、チケット情報データベース１５は、図３に示したように、「チケットＩＤ」、「日時」、「興行名」、「アーチスト」、「座席」および「購入価格」からなるチケット情報を格納している。
【００７３】
「チケットＩＤ」は、チケット発行装置１０で発行されるチケットを識別するための識別子である。「日時」は、興行の開始時刻に関する情報である。「興行名」は、興行の名称に関する情報である。「アーチスト」は、当該興行に出演する個人、団体の名称に関する情報である。「座席」は、当該興行で利用者が着座する指定席に関する情報である。「購入価格」は、当該チケットを購入する価格である。
【００７４】
図１に戻り、金融機関システム３５は、チケットの購入代金に関する決済手段の一つであり、購入代金の自動引き落としを実行するシステムである。この金融機関システム３５は、ネットワーク２０に接続されている。
【００７５】
携帯端末４０は、利用者に携帯される携帯電話端末、ＰＨＳ（Personal Handyphone System）端末、ＰＤＡ（Personal Digital Assistant）等であり、通話機能、電子メール送受信機能の他に、チケット発行装置１０からチケット情報をダウンロードし、このチケット情報をＩＣタグ４８に格納するチケット機能も備えている。
【００７６】
携帯端末４０において、制御部４１は、通話、電子メール、チケットに関する制御を行う。この制御部４１の動作の詳細については、後述する。記憶部４２は、制御部４１で用いられるプログラムや、各種情報を記憶している。表示部４３は、ＬＣＤ（Liquid Crystal Display）であり、電話番号や電子メールの他に、後述する各種画面（図６、図９〜図１２参照）を表示する。
【００７７】
スピーカ４４は、通話時に相手方の音声や、キー操作の操作音、アラーム音等を発する。マイク４５は、通話時に利用者の音声を電気信号に変換する。無線通信部４６は、無線を介して、無線基地局３０に収容されており、所定の通信プロトコルに従って、通信を制御する。
【００７８】
入力部４７は、テンキー、ファンクションキー等であり、電話番号の入力、電子メールの作成、各種画面における情報の入力等に用いられる。
【００７９】
ＩＣタグ４８は、非接触で情報のライト／リードが可能な電子タグの一種であり、特殊印刷、埋め込み、接着等により携帯端末４０の筐体（図示略）に設けられている。このＩＣタグ４８は、図示しないアンテナ、ＩＣおよびメモリから構成されている。
【００８０】
アンテナは、後述するＩＣタグライタ４９やＩＣタグリーダ６１からの誘導電磁界中に置かれることにより発生する起電力をＩＣおよびメモリへ供給する。ＩＣは、メモリに関するリード／ライトを制御する。
【００８１】
メモリには、チケット発行装置１０から通知されたチケット情報（チケットＩＤ、日時、興行名、アーチスト、座席および購入価格の情報）が記憶されている。ＩＣタグライタ４９は、ＩＣタグ４８の近傍に設けられており、チケット情報をＩＣタグ４８（メモリ）にライトする機能を備えている。
【００８２】
チケット確認装置５０1〜５０nは、チケット発行装置１０で発行されたチケットに対応する各興行会場に設けられており、チケットの確認を行うための装置である。入場ゲート６０は、興行会場の入口に設けられたゲートである。
【００８３】
ＩＣタグリーダ６１は、入場ゲート６０に設けられており、入場者（利用者）が携帯しているチケット携帯端末（同図では、携帯端末４０）のＩＣタグ（同図では、ＩＣタグ４８）から非接触でチケット情報をリードする機能を備えている。案内装置６２は、入場ゲート６０に設けられたスピーカ、ＬＣＤ等であり、入場者に対して、音声、文字、画像等を介して各種案内を行うための装置である。
【００８４】
開閉扉６３は、入場ゲート６０の出口に設けられており、興行会場への入場者（利用者）の入場を物理的に制御するための扉である。駆動装置６４は、入場ゲート６０に設けられており、チケット確認装置５０1の制御に基づいて、開閉扉６３を駆動する。ここで、一実施例において、ＩＣタグリーダ６１、案内装置６２、開閉扉６３および駆動装置６４は、チケット確認装置５０1を構成する要素である。
【００８５】
チケット確認装置５０1において、制御部５１1は、ＩＣタグリーダ６１でリードされたチケット情報に基づく確認や、入場者に対する案内、開閉扉６３の開閉に関する制御を行う。この制御部５１1の動作の詳細については、後述する。記憶部５２1は、制御部５１1で用いられるプログラムや、各種情報を記憶している。通信部５３1は、ネットワーク２０に接続されており、所定の通信プロトコルに従って、通信を制御する。
【００８６】
Ｉ／Ｏ（Input/Output）ポート５４1は、入出力インタフェースである。このＩ／Ｏポート５４1には、ＩＣタグリーダ６１、案内装置６２および駆動装置６４が接続されている。チケット情報データベース５５1は、当該興行会場に対応するチケット情報を格納するデータベースである。このチケット情報は、チケット情報データベース１５（図２参照）に格納されているチケット情報の一部と同一の情報である。
【００８７】
具体的には、チケット情報データベース５５1は、図４に示したように、「チケットＩＤ」、「日時」、「興行名」、「アーチスト」、「座席」および「購入価格」からなるチケット情報を格納している。このチケット情報は、チケット情報データベース１５（図２参照）においてチケットＩＤが「０００００１」から「００１０００」までのチケット情報であり、チケット発行装置１０からネットワーク２０を介してダウンロードされる。
【００８８】
なお、図１において、１台の携帯端末４０が図示されているが、実際には、チケット利用システムには、図示しない複数のチケット携帯端末が存在している。
【００８９】
つぎに、図５および図６を参照して、一実施例における動作の概要について説明する。図５に示したステップＳＡ１では、チケット利用システムを利用することを希望する者は、例えば、携帯端末４０を操作して、無線基地局３０およびネットワーク２０を介して、チケット発行装置１０にアクセスし、オンラインで利用者登録を行う。
【００９０】
この場合、携帯端末４０からアクセスされると、チケット発行装置１０の制御部１１は、図６に示した利用者登録画面１００を携帯端末４０の表示部４３に表示させる。この利用者登録画面１００は、図２に示したカナ氏名、漢字氏名、性別、生年月日、郵便番号、住所、電子メールアドレス、電話番号および引き落とし口座の情報を利用者に入力させるための画面である。
【００９１】
利用者は、利用者登録画面１００に各情報を入力した後、登録１００ａを押下する。これにより、携帯端末４０は、ユニークな利用者ＩＤおよびパスワードを発行し、これらの利用者ＩＤおよびパスワードと、登録日時と、入力されたカナ氏名、漢字氏名、性別、生年月日、郵便番号、住所、電子メールアドレス、電話番号および引き落とし口座とを利用者情報として、利用者情報データベース１４（図２参照）に格納する。また、利用者ＩＤおよびパスワードは、郵送や暗号化通信等により、利用者に通知される。
【００９２】
なお、一実施例においては、携帯端末４０に代えて、ネットワーク２０に接続されたパーソナルコンピュータ端末（図示略）により、利用者登録を行ってもよい。
【００９３】
ステップＳＡ２では、利用者は、通知された利用者ＩＤおよびパスワードにより、携帯端末４０でチケット発行装置１０にログインした後、所望のチケットの購入を申し込む。
【００９４】
ステップＳＡ３では、チケット発行装置１０の制御部１１は、チケットの購入代金を金融機関システム３５で決済する。ステップＳＡ４では、携帯端末４０は、ネットワーク２０および無線基地局３０を介して、チケット情報をチケット発行装置１０からダウンロードする。
【００９５】
ステップＳＡ５では、携帯端末４０の制御部４１は、ＩＣタグライタ４９によりチケット情報をＩＣタグ４８にライトせる。これにより、携帯端末４０は、電子チケットとして機能する。
【００９６】
そして、興行日になると、利用者は、携帯端末４０を携帯して、興行会場へ出向き、入場ゲート６０に入る。これにより、ステップＳＡ６では、ＩＣタグリーダ６１は、ＩＣタグ４８からチケット情報をリードする。
【００９７】
ステップＳＡ７では、チケット確認装置５０1の制御部５１1は、チケット情報データベース５５1（図４参照）を照会し、リードされたチケット情報がチケット情報データベース５５1に格納されているか否かを判断する。格納されている場合、正規のチケットとして、駆動装置６４に開閉扉６３を開けさせ、当該利用者を興行会場に入場させる。
【００９８】
つぎに、一実施例の動作の詳細について、図７〜図１２を参照しつつ説明する。図７は、図１に示した携帯端末４０およびチケット発行装置１０の動作を説明する図である。図８は、図１に示したチケット確認装置５０1〜５０nの動作を説明するフローチャートである。
【００９９】
以下では、携帯端末４０でチケットを購入し、チケット確認装置５０1に対応する入場ゲート６０から興行会場へ入場する場合を一例にとって説明する。
【０１００】
図７に示したステップＳＢ１では、携帯端末４０の制御部４１は、利用者の操作に基づき、無線基地局３０およびネットワーク２０を介して、チケット発行装置１０にアクセスする。
【０１０１】
ステップＳＢ２では、チケット発行装置１０は、図９に示したログイン画面２００を携帯端末４０の表示部４３に表示させる。このログイン画面２００には、利用者ＩＤを設定するための利用者ＩＤ設定欄２００ａと、パスワードを設定するためのパスワード設定欄２００ｂと、ログイン時に押下されるログインボタン２００ｃとが表示されている。
【０１０２】
ステップＳＢ３では、携帯端末４０の制御部４１は、ログイン画面２００におけるログインボタン２００ｃが押下されたか否かを判断し、この場合、判断結果を「Ｎｏ」として、同判断を繰り返す。
【０１０３】
そして、当該利用者は、入力部４７を操作して、ログイン画面２００の利用者ＩＤ設定欄２００ａに利用者ＩＤ（＝Taro7777）を、パスワード設定欄２００ｂにパスワード（＝458962）をそれぞれ設定した後、ログインボタン２００ｃを押下する。
【０１０４】
これにより、制御部４１は、ステップＳＢ３の判断結果を「Ｙｅｓ」とする。ステップＳＢ４では、制御部４１は、ログイン画面２００で設定された利用者ＩＤおよびパスワードをログイン情報としてチケット発行装置１０へ通知する。
【０１０５】
ステップＳＢ５では、チケット発行装置１０の制御部１１は、携帯端末４０から通知されたログイン情報（利用者ＩＤおよびパスワード）をキーとして、利用者情報データベース１４（図２参照）を照会し、認証処理を実行する。ステップＳＢ６では、制御部１１は、当該利用者が認証されたか否かを判断する。
【０１０６】
認証されなかった場合、すなわち、ステップＳＢ６の判断結果が「Ｎｏ」である場合、ステップＳＢ７では、制御部１１は、携帯端末４０へエラーを通知する。一方、認証された場合、すなわち、ステップＳＢ６の判断結果が「Ｙｅｓ」である場合、ステップＳＢ８では、制御部１１は、図１０に示したチケット選択画面２０１を携帯端末４０の表示部４３に表示させる。
【０１０７】
このチケット選択画面２０１は、チケット発行装置１０で購入可能なチケットの一覧から所望のチケットを当該利用者に選択させるための画面である。このチケット選択画面２０１には、「クラシックコンサートチケット」、「英国バレエ東京公演チケット」、「日米野球決勝戦チケット」、「日本自動車ショーチケット」、・・・等の一覧と、決定ボタン２０１ａとが表示されている。
【０１０８】
ステップＳＢ９では、携帯端末４０の制御部４１は、チケット選択画面２０１の決定ボタン２０１ａが押下されたか否かを判断し、この場合、判断結果を「Ｎｏ」として、同判断を繰り返す。
【０１０９】
そして、利用者は、入力部４７を操作して、チケット選択画面２０１におけるチケットの一覧の中から、例えば、「クラシックコンサートチケット」を選択した後、決定ボタン２０１ａを押下する。
【０１１０】
これにより、制御部４１は、ステップＳＢ９の判断結果を「Ｙｅｓ」とする。ステップＳＢ１０では、制御部４１は、チケット選択画面２０１で選択されたチケット（この場合、「クラシックコンサートチケット」）を購入チケットして、チケット発行装置１０へ通知する。
【０１１１】
ステップＳＢ１１では、チケット発行装置１０の制御部１１は、携帯端末４０から通知された購入チケット（「クラシックコンサートチケット」）に対応するチケット情報をチケット情報データベース１５から取得する。この場合には、チケットＩＤが０００００１のチケット情報が取得されたとする。
【０１１２】
ステップＳＢ１２では、制御部１１は、ステップＳＢ１１で取得されたチケット情報を所定の暗号化方式により、暗号化する。ステップＳＢ１３では、制御部１１は、当該利用者に対応する引き落とし口座を利用者情報データベース１４で確認した後、当該チケットの購入代金を金融機関システム３５で決済させる。
【０１１３】
ステップＳＢ１４では、制御部１１は、ステップＳＢ１２で暗号化された暗号化チケット情報を携帯端末４０へ通知する。ステップＳＢ１５では、携帯端末４０の制御部４１は、暗号化チケット情報を復号する。
【０１１４】
ステップＳＢ１６では、携帯端末４０の制御部４１は、図１１に示した購入完了画面２０２を表示部４３に表示させる。購入完了画面２０２には、当該チケットの購入が完了した旨、チケット情報をＩＣタグ４８にライトする旨、チケット情報２０２ａおよびライトボタン２０２ｂが表示されている。チケット情報２０２ａは、ステップＳＢ１５で復号されたチケット情報に対応している。
【０１１５】
ステップＳＢ１７では、制御部４１は、ライトボタン２０２ｂが押下されたか否かを判断し、この場合、判断結果を「Ｎｏ」として、同判断を繰り返す。
【０１１６】
そして、利用者は、購入完了画面２０２でチケット情報２０２ａの内容を確認した後、ライトボタン２０２ｂを押下する。これにより、制御部４１は、ステップＳＢ１７の判断結果を「Ｙｅｓ」とする。ステップＳＢ１８では、制御部４１は、ＩＣタグライタ４９に対して、ライト指示を出す。これにより、ＩＣタグライタ４９は、当該チケット情報をＩＣタグ４８にライトする。
【０１１７】
ステップＳＢ１９では、制御部４１は、チケット情報のライトが完了した旨を表すライト完了画面２０３（図１２参照）を表示部４３に表示させる。これにより、携帯端末４０は、電子チケットとして機能する。また、利用者は、クラシックコンサートの興行当日まで指折り数えて待つことになる。
【０１１８】
そして、当該クラシックコンサートの興行当日になると、図８に示したステップＳＣ１では、チケット確認装置５０1の制御部５１1は、興行担当者の操作に従って、ネットワーク２０を介して、チケット発行装置１０にアクセスし、チケット情報データベース１５（図３参照）におけるチケットＩＤが「０００００１」から「００１０００」までのチケット情報をダウンロードする。ステップＳＣ２では、制御部５１1は、ダウンロードされたチケット情報をチケット情報データベース５５1に格納する。
【０１１９】
ステップＳＣ３では、制御部５１1は、ＩＣタグリーダ６１により、ＩＣタグからチケット情報がリードされたか否かを判断し、この場合、判断結果を「Ｎｏ」として、同判断を繰り返す。
【０１２０】
そして、携帯端末４０を携帯した利用者が入場ゲート６０に入り、ＩＣタグ４８がＩＣタグリーダ６１の近傍に位置すると、ＩＣタグリーダ６１は、ＩＣタグ４８からチケット情報をリードし、チケット確認装置５０1へ通知する。
【０１２１】
これにより、チケット確認装置５０1の制御部５１1は、ステップＳＣ３の判断結果を「Ｙｅｓ」とする。ステップＳＣ４では、制御部５１1は、リードされたチケット情報をキーとして、チケット情報データベース５５1（図４参照）を照会する。
【０１２２】
ステップＳＣ５では、制御部５１1は、ステップＳＣ４の照会結果に基づいて、当該電子チケット（チケット情報）が正規チケットであるか否かを判断する。ステップＳＣ５の判断結果が「Ｎｏ」である場合、ステップＳＣ９では、制御部５１1は、案内装置６２に対して入場拒否案内を指示する。この場合、当該利用者は、興行会場に入場できない。
【０１２３】
ステップＳＣ８では、制御部５１1は、現在時刻が入場制限時刻であるか否かを判断し、この場合、判断結果を「Ｎｏ」として、ステップＳＢ３の判断を行う。なお、ステップＳＣ８の判断結果が「Ｙｅｓ」である場合、制御部５１1は、一連の処理を終了する。
【０１２４】
一方、ステップＳＣ５の判断結果が「Ｙｅｓ」である場合、ステップＳＣ６では、制御部５１1は、案内装置６２に対して入場案内を指示する。ステップＳＣ７では、制御部５１1は、駆動装置６４に対して、開閉扉６３を開けるように指示を出した後、ステップＳＣ８の判断を行う。これにより、開閉扉６３が開けられ、当該利用者は、入場ゲート６０を通過して、興行会場に入場する。
【０１２５】
なお、一実施例においては、チケットの購入代金の決済方法として、口座からの自動引き落としを一例として挙げたが、クレジットカード決済等の他の決済手段を用いてもよい。
【０１２６】
また、一実施例においては、携帯端末４０で暗号化チケット情報を復号する構成例について説明したが、ＩＣタグ４８に暗号化チケット情報をライトしておき、ＩＣタグリーダ６１で暗号化チケット情報をリードした後、チケット確認装置５０1で暗号化チケット情報を復号する構成例としてもよい。
【０１２７】
また、一実施例においては、チケットとして、コンサートチケットやスポーツ観戦チケット等の興行チケットを一例にとって説明したが、興行チケットに限られることなく、その他チケットについても適用可能である。
【０１２８】
その他チケットには、クリーニング店で発行される伝票、修理店舗で発行される修理品預かり証、割引券、優待券、商品券、金券、有料道路通行券、交通機関利用券、各種切符類等のように、紙媒体やカード媒体等で提供されるもの全てが含まれる。
【０１２９】
また、一実施例においては、図７に示したステップＳＢ１３で決済処理が終了した後、当該チケットの購入が完了した旨を電子メールまたは電話を介して、携帯端末４０に通知する構成例としてもよい。電話による通知は、携帯端末４０で迷惑メールの受信を拒否する設定がなされている場合に有効である。
【０１３０】
また、一実施例においては、入場ゲート６０にＩＣタグリーダ６１を設けた構成例について説明したが、ＩＣタグリーダ６１に代えて、ＩＣタグリーダ／ライタを入場ゲート６０に設けて、チケット情報をリードして正規チケットであることが確認された後に、各種優待や特典（ドリンク引換え、サイン色紙引換え等）を享受できる優待チケットに対応する優待チケット情報をＩＣタグ４８にライトする構成例としてもよい。これにより、携帯端末４０は、電子優待チケットとして機能する。
【０１３１】
また、一実施例においては、上述した電子優待チケットの発行に際して、チケット確認装置５０1（またはチケット発行装置１０）から携帯端末４０へ優待チケット情報を電子メール等を介して通知した後、携帯端末４０のＩＣタグライタ４９でＩＣタグ４８に優待チケット情報をライトする構成例としてもよい。
【０１３２】
また、一実施例においては、携帯端末４０にＩＣタグ４８を設けて、ＩＣタグライタ４９でＩＣタグ４８にチケット情報をライトする構成例について説明したが、紙媒体等にＩＣタグを設けて、ＩＣタグライタ４９で該ＩＣタグにチケット情報をライトする構成例としてもよい。この場合には、ＩＣタグが設けられた紙媒体等を通常の紙チケットと同様にして所持し、ＩＣタグ４８の場合と同様にして、入場ゲート６０で正規チケットのチェックを受ければよい。
【０１３３】
また、一実施例においては、ＩＣタグ４８に１つのチケット情報をライトする構成例について説明したが、複数のチケット情報をＩＣタグ４８にライトする構成例としてもよい。
【０１３４】
以上説明したように、一実施例によれば、利用者が有する携帯端末４０から電子チケットの発行に関する要求を受け、要求に応じて、携帯端末４０に設けられたＩＣタグ４８にライトされた後、電子チケットの使用時にチケット確認装置５０1のＩＣタグリーダ６１によりリードされるチケット情報を電子チケットとして携帯端末４０へ通知することとしたので、電子チケットの使用に際して、従来のように所定の操作が不要となり、ユーザインタフェースを向上させることができる。
【０１３５】
また、一実施例によれば、チケット情報を暗号化（ステップＳＢ１２：図７参照）し、暗号化されたチケット情報を携帯端末４０へ通知（ステップＳＢ１４：図７参照）することとしたので、第三者にチケット情報が漏洩することが防止され、セキュリティを高めることができる。
【０１３６】
また、一実施例によれば、電子チケットの発行に際して、利用者により予め指定された決済方法により電子チケットの購入代金を決済（ステップＳＢ１３：図７参照）することとしたので、迅速に電子チケットを購入することができる。
【０１３７】
また、一実施例によれば、携帯端末４０に設けられたＩＣタグ４８から電子チケットとしてのチケット情報をリードし、リードされたチケット情報が正規のものであるか否かを確認し（ステップＳＣ５：図８参照）、確認の結果を報知することとしたので、電子チケットの使用に際して、従来のように所定の操作が不要となり、ユーザインタフェースを向上させることができる。
【０１３８】
また、一実施例によれば、チケット情報がリードされた後、別のチケット情報をＩＣタグ４８にライトすることとしたので、例えば、別のチケット情報を介して優待や特典を利用者に与えることで、利用者の満足度を高めることができる。
【０１３９】
また、一実施例によれば、電子チケットを興行チケットに対応させ、チケット情報が正規のものであるか否かの確認の結果に基づいて、興行会場への利用者の入場を制限（ステップＳＣ６、ステップＳＣ７、ステップＳＣ９：図８参照）することとしたので、入場業務を迅速に進めることができる。
【０１４０】
また、一実施例によれば、チケッット発行装置１０に対して、電子チケットの発行に関する要求を出し、要求に応じて、チケット発行装置１０から通知され電子チケットとしてのチケット情報をＩＣタグ４８にライトし、電子チケットの使用時に、チケット確認装置５０1により、ＩＣタグ４８からチケット情報がリードされることとしたので、電子チケットの使用に際して、従来のように所定の操作が不要となり、ユーザインタフェースを向上させることができる。
【０１４１】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１４２】
例えば、前述した一実施例においては、チケット発行装置１０、携帯端末４０、チケット確認装置５０1（ＩＣタグリーダ６１、案内装置６２および駆動装置６４を含む）〜５０nの各機能を実現するためのプログラムを図１３に示したコンピュータ読み取り可能な記録媒体３００に記録して、この記録媒体３００に記録されたプログラムを同図に示したコンピュータ４００に読み込ませ、実行することにより各機能を実現してもよい。
【０１４３】
同図に示したコンピュータ４００は、上記プログラムを実行するＣＰＵ（Central Processing Unit）４１０と、キーボード、マウス等の入力装置４２０と、各種データを記憶するＲＯＭ（Read Only Memory）４３０と、演算パラメータ等を記憶するＲＡＭ（Random Access Memory）４４０と、記録媒体３００からプログラムを読み取る読取装置４５０と、ディスプレイ、プリンタ等の出力装置４６０と、から構成されている。
【０１４４】
ＣＰＵ４１０は、読取装置４５０を経由して記録媒体３００に記録されているプログラムを読み込んだ後、プログラムを実行することにより、前述した機能を実現する。なお、記録媒体３００としては、光ディスク、フレキシブルディスク、ハードディスク等が挙げられる。
【産業上の利用可能性】
【０１４５】
以上のように、本発明にかかるチケット発行プログラム、チケット発行方法、チケット発行装置、チケット確認プログラム、チケット確認方法、チケット確認装置および携帯端末は、コンサートチケット、スポーツ観戦チケット等の興行チケットや、各種優待チケット等の利用に対して有用であり、特に、携帯端末による電子チケットの使用に適している。
【図面の簡単な説明】
【０１４６】
【図１】本発明にかかる一実施例の構成を示すブロック図である。
【図２】図１に示した利用者情報データベース１４のテーブル構造を示す図である。
【図３】図１に示したチケット情報データベース１５のテーブル構造を示す図である。
【図４】図１に示したチケット情報データベース５５1のテーブル構造を示す図である。
【図５】同一実施例における動作の概要を説明するフローチャートである。
【図６】同一実施例における利用者登録画面１００を示す図である。
【図７】図１に示した携帯端末４０およびチケット発行装置１０の動作を説明する図である。
【図８】図１に示したチケット確認装置５０1〜５０nの動作を説明するフローチャートである。
【図９】同一実施例におけるログイン画面２００を示す図である。
【図１０】同一実施例におけるチケット選択画面２０１を示す図である。
【図１１】同一実施例における購入完了画面２０２を示す図である。
【図１２】同一実施例におけるライト完了画面２０３を示す図である。
【図１３】同一実施例の変形例の構成を示すブロック図である。
【符号の説明】
【０１４７】
１０  チケット発行装置
１１  制御部
１４  利用者情報データベース
１５  チケット情報データベース
３５  金融機関システム
４０  携帯端末
４１  制御部
４８  ＩＣタグ
４９  ＩＣタグライタ
５０1  チケット確認装置
５１1  制御部
５５1  チケット情報データベース
６０  入場ゲート
６１  ＩＣタグリーダ
【図１】
2005165946.tif 000003
【図２】
2005165946.tif 000004
【図３】
2005165946.tif 000005
【図４】
2005165946.tif 000006
【図５】
2005165946.tif 000007
【図６】
2005165946.tif 000008
【図７】
2005165946.tif 000009
【図８】
2005165946.tif 000010
【図９】
2005165946.tif 000011
【図１０】
2005165946.tif 000012
【図１１】
2005165946.tif 000013
【図１２】
2005165946.tif 000014
【図１３】
2005165946.tif 000015